【手続補正書】
【提出日】平成16年6月21日(2004.6.21)
【手続補正１】
【補正対象書類名】明細書
【補正対象項目名】発明の名称
【補正方法】変更
【補正の内容】
【発明の名称】電気光学装置及び電子機器
【手続補正２】
【補正対象書類名】明細書
【補正対象項目名】特許請求の範囲
【補正方法】変更
【補正の内容】
【特許請求の範囲】
【請求項１】
一対の透明な第１基板及び透明な第２基板間に電気光学物質が挟持されてなり、
前記第２基板に面する側における前記第１基板上に、画像表示領域に配置された複数の画素電極と、前記複数の画素電極に夫々接続された複数の配線と、前記第１基板と前記配線との間に積層されると共に前記画像表示領域の額縁領域を規定する第１遮光膜とを備えたことを特徴とする電気光学装置。
【請求項２】
一対の透明な第１基板及び透明な第２基板間に電気光学物質が挟持されてなり、
前記第２基板に面する側における前記第１基板上に、画像表示領域に配置された複数の画素電極と、前記複数の画素電極に夫々接続された複数の配線とを備えており、
前記第２基板と反対側における前記第１基板上に、前記画像表示領域の額縁を規定する第１遮光膜を備えたことを特徴とする電気光学装置。
【請求項３】
前記第１遮光膜は、高融点金属を含むことを特徴とする請求項１又は２に記載の電気光学装置。
【請求項４】
前記額縁領域を横切るように前記配線が配置されていることを特徴とする請求項１から３のいずれか一項に記載の電気光学装置。
【請求項５】
前記第２基板に面する側における前記第１基板上に、前記額縁領域内に配置されており前記画素電極を駆動するための周辺回路を更に備えており、
該周辺回路は、複数の周辺回路用薄膜トランジスタを含むことを特徴とする請求項１から４のいずれか一項に記載の電気光学装置。
【請求項６】
前記周辺回路は、サンプリング回路であり、
前記周辺回路用薄膜トランジスタは、画像信号をサンプリングして前記配線に供給するサンプリングスイッチであることを特徴とする請求項５に記載の電気光学装置。
【請求項７】
前記第１遮光膜は、前記周辺回路用薄膜トランジスタの少なくともチャネル領域に対向する領域に開口部が設けられており、
前記開口部は、前記第２基板の側から平面的に見て前記配線の一部により覆われていることを特徴とする請求項５又は６に記載の電気光学装置。
【請求項８】
前記第１遮光膜は、前記周辺回路用薄膜トランジスタの少なくともゲートに対向する領域に開口部が設けられており、
前記第１基板又は前記第２基板の側から平面的に見て前記開口部を覆う他の遮光膜を更に備えたことを特徴とする請求項５から７のいずれか一項に記載の電気光学装置。
【請求項９】
前記配線は、データ線であり、
前記第２基板に面する側における前記第１基板上に、前記データ線と交差する複数の走査線と、前記データ線、前記走査線及び前記画素電極に接続された画素スイッチング用薄膜トランジスタとを更に備えたことを特徴とする請求項１から８のいずれか一項に記載の透過型の電気光学装置。
【請求項１０】
前記第１遮光膜と同一膜からなり、前記画素スイッチング用薄膜トランジスタの少なくともチャネル領域を前記第１基板側から見て覆う位置に形成された第２遮光膜を更に備えたことを特徴とする請求項９に記載の電気光学装置。
【請求項１１】
前記第１遮光膜は導電性材料から形成されており、
前記第１遮光膜と同一膜からなると共に前記画素スイッチング用薄膜トランジスタと前記画素電極とをコンタクトホールを介して中継する中継用導電層を更に備えたことを特徴とする請求項９に記載の電気光学装置。
【請求項１２】
前記第１遮光膜は導電性材料から形成されており、かつ該第１遮光膜は定電位に固定されていることを特徴とする請求項１から１１のいずれか一項に記載の電気光学装置。
【請求項１３】
前記定電位を供給する電源端子と、前記電源端子を介して電源電圧が供給される周辺回路とを有することを特徴とする請求項１２に記載の電気光学装置。
【請求項１４】
前記第１遮光膜は導電性材料から形成されており、
前記第１遮光膜と同一膜からなる他の配線を更に備えたことを特徴とする請求項１から１０のいずれか一項に記載の電気光学装置。
【請求項１５】
前記第１遮光膜の少なくとも一部に重なり、前記額縁領域を規定する他の遮光膜を更に備えたことを特徴とする請求項１から１４のいずれか一項に記載の電気光学装置。
【請求項１６】
請求項１から請求項１５のいずれか一項に記載の電気光学装置を具備してなることを特徴とする電子機器。
【手続補正３】
【補正対象書類名】明細書
【補正対象項目名】０００６
【補正方法】変更
【補正の内容】
【０００６】
【課題を解決するための手段】
本発明の電気光学装置は、一対の透明な第１基板及び透明な第２基板間に電気光学物質が挟持されてなり、前記第２基板に面する側における前記第１基板上に、画像表示領域に配置された複数の画素電極と、前記複数の画素電極に夫々接続された複数の配線と、前記第１基板と前記配線との間に積層されると共に前記画像表示領域の額縁領域を規定する第１遮光膜とを備えたことを特徴とする。
【手続補正４】
【補正対象書類名】明細書
【補正対象項目名】０００７
【補正方法】変更
【補正の内容】
【０００７】
本発明の電気光学装置によれば、液晶等の電気光学物質が透明な第１基板及び透明な第２基板間に挟持されており、その動作時には、第２基板側から表示用の光が入射され、電気光学物質を介して第１基板側から出射される。即ち、本発明の電気光学装置は、透過型の電気光学装置である。このような電気光学装置の画像表示領域には、複数の画素電極が配置されており、複数の配線がこれら複数の画素電極に夫々接続されている。このことは、配線が電気的接触により画素電極に直接接続されていてもよく、配線と画素電極とが同一導電膜から一体形成されていてもよく、画素スイッチング用ＴＦＴやＴＦＤを介して接続されていてもよい意である。ここで特に、第１基板と配線との間に積層された第１遮光膜により額縁領域が規定されている。従って、配線を形成するＡｌ等の導電膜により、第２基板側から入射した光の一部が内面反射されても、この反射光が額縁領域を規定する第１遮光膜により再度内面反射されて第１基板側から出射することはない。即ち、表示用の光に、配線の有無に対応した明暗パターンを持つ光が混じって、最終的にこの明暗パターン映像が表示画像の縁付近に映し出される事態を防止できる。更に本発明によれば、第１基板の裏面で反射された戻り光や第１基板から出射した表示用の光を投射する投射光学系から第１基板への戻り光が、額縁領域を規定する第１遮光膜により内面反射されて、第１基板側から出射されたとしても、第１遮光膜は額縁領域に設けられているので、第１遮光膜の有無に対応した映像は、縞模様等の特殊な明暗パターン模様となることはなく、単純に表示画像の周囲を囲う額縁の映像となるだけである。従って、このような額縁の映像は、表示画像を見る者にとっては何ら気になるものではなく、非常に好都合である。更に、このように第１遮光膜での内面反射による額縁の映像が写ることを気にしないでよいため、電気光学装置を実装ケースに収容する際に、電気光学装置と実装ケースとの機械的位置合わせに高い精度は要求されず、その表示窓の形状や寸法についても高い精度は要求されない。これらの結果、入射光に対して十分なマージンを持って実装ケースを構成できるので、実践上大変有利である。
【手続補正５】
【補正対象書類名】明細書
【補正対象項目名】００１０
【補正方法】変更
【補正の内容】
【００１０】
本発明の他の電気光学装置は、一対の透明な第１基板及び透明な第２基板間に電気光学物質が挟持されてなり、前記第２基板に面する側における前記第１基板上に、画像表示領域に配置された複数の画素電極と、前記複数の画素電極に夫々接続された複数の配線とを備えており、前記第２基板と反対側における前記第１基板上に、前記画像表示領域の額縁を規定する第１遮光膜を備えたことを特徴とする。
【手続補正６】
【補正対象書類名】明細書
【補正対象項目名】００１１
【補正方法】変更
【補正の内容】
【００１１】
本発明の他の電気光学装置によれば、液晶等の電気光学物質が透明な第１基板及び透明な第２基板間に挟持されており、その動作時には、第２基板側から表示用の光が入射され、電気光学物質を介して第１基板側から出射される。このような電気光学装置の画像表示領域には、複数の画素電極が配置されており、複数の配線がこれら複数の画素電極に夫々接続されている。ここで特に、第２基板と反対側における第１基板上に備えられた第１遮光膜により額縁領域が規定されている。従って、配線を形成するＡｌ等の導電膜により、第２基板側から入射した光の一部が内面反射されても、この反射光が額縁領域を規定する第１遮光膜により再度内面反射されて第１基板側から出射することはない。即ち、表示用の光に、配線の有無に対応した明暗パターンを持つ光が混じって、最終的にこの明暗パターン映像が表示画像の縁付近に映し出される事態を防止できる。更に本発明によれば、第１基板から出射した表示用の光を投射する投射光学系から第１基板への戻り光が、額縁領域を規定する第１遮光膜により反射されても、第１遮光膜は額縁領域に設けられているので、第１遮光膜の有無に対応した映像は、縞模様等の特殊な明暗パターン模様となることはなく、単純に表示画像の周囲を囲う額縁の映像となるだけである。従って、このような額縁の映像は、表示画像を見る者にとっては何ら気になるものではなく、非常に好都合である。更に、このように第１遮光膜での反射による額縁の映像が写ることを気にしないでよいため、電気光学装置を実装ケースに収容する際に、電気光学装置と実装ケースとの機械的位置合わせに高い精度は要求されず、その表示窓の形状や寸法についても高い精度は要求されない。これらの結果、入射光に対して十分なマージンを持って実装ケースを構成できるので、実践上大変有利である。